(57)【要約】【課題】飲料用ボトルへの着脱が極めて容易になり、しかも各構成部位に突出する部分がなく平板状を成した構成となり、僅かなスペースでも大量に収納することが可能な飲料ボトル運搬用保持具の提供を目的とする。【解決手段】把手板体１０に飲料ボトルＰの首部Ｐ１を挿入せしめる係止孔１１を設ける。該係止孔１１に係止した飲料ボトルＰを持ち上げるために手指を挿入する把手孔１２を設ける。係止孔１１の直径を前記飲料ボトルＰの首部Ｐ１に装着したキャップＱの下方から側面にかけて斜めに係止する長さに設定する。前記把手孔１２を持ち上げたときに前記把手板体１０が傾斜して前記係止孔１１に前記飲料ボトルＰが吊り下がるように設ける。【選択図】図１
0003102493.tif 000002
【実用新案登録請求の範囲】
【請求項１】
飲料ボトルの首部を挿入せしめる複数の係止孔と、該係止孔に係止した飲料ボトルを持ち上げるために手指を挿入する把手孔とを把手板体に設けた飲料ボトル運搬用保持具において、前記係止孔の直径を前記飲料ボトルの首部に装着したキャップの下方から側面にかけて斜めに係止する長さに設定し、前記把手孔を持ち上げたときに前記把手板体が傾斜して前記係止孔に前記飲料ボトルが吊り下がるように設けたことを特徴とする飲料ボトル運搬用保持具。
【請求項２】
前記飲料ボトルをペットボトルとし、前記係止孔はキャップの下方で張り出すぺットボトルの顎部下端とキャップ側面とに係止する直径に設定した請求項１記載の飲料ボトル運搬用保持具。
【請求項３】
前記把手板体は板紙製とし、該把手板体を二つ折り自在に設けた把手板体の中央部に前記把手孔を設け、該把手孔の両側に複数の係止孔を対象形状に形成し、前記飲料ボトルの重量に合わせて該係止孔を単体で使用し又は重ねて使用するように設けた請求孔１又は２記載の飲料ボトル運搬用保持具。
【請求項４】
前記係止孔は、前記把手板体を二つ折りに重ねた前記把手板体に僅かに位置をずらして開穿した請求項３記載の飲料ボトル運搬用保持具。
【請求項５】
前記把手孔は、該把手孔の一側縁部から延長された把手片を設けた請求項１乃至４いずれか記載の飲料ボトル運搬用保持具。
【考案の詳細な説明】
【技術分野】
【０００１】
本考案は、ペットボトルや瓶などの飲料ボトルを複数本運搬する際に用いる飲料ボトル運搬用保持具に関する。
【背景技術】
【０００２】
ペットボトルや瓶などの飲料用ボトルを複数本運搬する際に用いるこの種の保持具として、特許文献１や、特許文献２記載された運搬用保持具がある。特許文献１の保持具は、ペットボトルを複数本まとめて保持運搬する為に、薄板状の本体部１に飲食料用ボトルの顎部の径にほぼ等しい孔を適宜間隔で複数個形成している。そして、該孔の周縁から外方に向けて放射状の切り込みを設けてボトルの鍔部を支承する保持部が形成され、更に手提げハンドルを取り付けたものである。
【０００３】
特許文献２の保持具は、特許文献１を改良したもので、複数本のボトルをまとめて吊り下ろす場合の強度を確保する為に、薄板状の本体部に飲食料用合成樹脂製ボトルの頸部の径よりも大きい孔を適宜間隔で複数個形成している。そして、該孔の周縁から内方に向けて放射方向に複数の舌片状の保持片を全体が花びら状になるように突出し、ボトルの頸部に装着したキャップの下方部で前記頸部に形成されている鍔部を下方から支承する保持部を形成し、更に手提げハンドルを取り付けたものである。
【０００４】
一方、特許文献３には、バーコード等のラベルを付すための展開可能な面を有するビン等の容器用のパッケージが記載されている。このパッケージは、複数の容器と、ポリマー材料の単一シートから作られたキャリアと、別体シートから作られた把手とから成るパッケージである。
【特許文献１】特開平１０−１４７３６６号公報
【特許文献２】特開２０００−２８９７７０号公報
【特許文献３】特開平７−３１５４２９号公報
【考案の開示】
【考案が解決しようとする課題】
【０００５】
特許文献１や特許文献２記載された運搬用保持具は、いずれも放射状の切り込みを設けてボトルの鍔部に嵌合する保持部を形成し、この保持部にボトルの首部を強制的に挿入し、切り込み状の保持部とボトルの鍔部とを係合させるものである。その為、ボトルから運搬用保持具を取外す場合は、放射状に設けた保持部をボトルの鍔部から一つずつ外す必要があり、ボトルから運搬用保持具を取外す場合に多くの手間を要するものであった。
【０００６】
一方、特許文献３に記載されたパッケージは、ポリマー材料の単一シートでキャリアを形成し、また、別体シートで把手を形成するもので、一つのパッケージを形成するのに多くの製造工程を要するものであった。また、キャリアと把手の連結部分は、異種材料の連結手段となるため、連結強度に課題を残していた。
【０００７】
更に、特許文献１乃至３に記載された運搬用保持具やパッケージは、いずれも把手部分や収納部分など、各構成部材が突出した形状を成している。例えば、特許文献１、２における保持部や、特許文献３におけるキャリア自体の構成などである。その為、これらの構成が収納時に嵩張るものとなっている。したがって、これらの運搬用保持具類を数多く準備する場合は、多くの収納スペースを要するものになっていた。
【０００８】
そこで本考案は、上述の課題を解消すべく案出されたもので、飲料用ボトルへの着脱が極めて容易になり、しかも各構成に突出する部分がなく全体が平板状を成した構成となり、僅かなスペースでも大量に収納することが可能な飲料ボトル運搬用保持具の提供を目的とするものである。
【課題を解決するための手段】
【０００９】
本考案の第１の手段は、飲料ボトルＰの首部Ｐ１を挿入せしめる係止孔１１と、該係止孔１１に係止した飲料ボトルＰを持ち上げるために手指を挿入する把手孔１２とを把手板体１０に設けた飲料ボトル運搬用保持具において、前記係止孔１１の直径を前記飲料ボトルＰの首部Ｐ１に装着したキャップＱの下方から側面にかけて斜めに係止する長さに設定し、前記把手孔１２を持ち上げたときに前記把手板体１０が傾斜して前記係止孔１１に前記飲料ボトルＰが吊り下がるように設けたことにある。
【００１０】
第２の手段は、前記飲料ボトルＰをペットボトルとし、前記係止はキャップＱの下方で張り出すぺットボトルの顎部Ｐ２下端とキャップＱ側面とに係止する直径に設定する。
【００１１】
第３の手段は、前記把手板体１０を板紙製とし、該把手板体１０を二つ折り自在に設けた把手板体１０の中央部に前記把手孔１２を設け、該把手孔１２の両側に複数の係止孔１１を対象形状に形成し、前記飲料ボトルＰの重量に合わせて該係止孔１１を単体で使用し又は重ねて使用するように設けている。
【００１２】
第４の手段において、前記係止孔１１は、前記把手板体１０を二つ折りに重ねた前記把手板体１０に僅かに位置をずらして開穿する。
【００１３】
第５の手段の前記把手孔１２は、該把手孔１２の一側縁部から延長された把手片１３を設けたことを課題解消のための手段とする。
【考案の効果】
【００１４】
本考案の請求項１、２により、把手孔１２を持ち上げたときに前記把手板体１０が傾斜して前記係止孔１１に前記飲料ボトルＰが吊り下がるように設けているので、飲料ボトルＰの首部Ｐ１を把手板体１０の係止孔１１に挿通させるだけの操作で簡単に吊り下げることが可能になる。また、使用後においても把手板体１０を水平に戻すのみで容易に取外すことができる。
【００１５】
しかも、本考案把手の各構成に突出部分がなく、全体的に平板状を成しているので、極めてコンパクトな構成となり、僅かなスペースでも大量に準備収納することが可能になっている。
【００１６】
そして、請求項３により、紙製の把手板体１０でも支持強度を高めることが可能である。更に、飲料ボトルＰの重量に合わせて該係止孔１１を単体で使用し又は重ねて使用するように設けているので、軽量の飲料ボトルＰを多数本支持する場合や、重量のある飲料ボトルＰを数本支持する場合も１枚の把手板体１０で使い分けることが可能になる。
【００１７】
また、請求項４により、把手板体１０を二つ折りに重ねた前記把手板体１０に、係止孔１１を僅かに位置をずらして開穿しているので、より確実な係合状態が得られる。
【００１８】
更に、請求項５により、把手孔１２の一側縁部から把手片１３を設けているので、把手板体１０の把手孔１２に手指を係止して飲料ボトルＰを吊下げたときに、手指に掛かる荷重を把手片１３に分散し、極めて持ちやすい把手孔１２を提供できる。
【００１９】
このように本考案によると、飲料用ボトルへの着脱が極めて容易になり、しかも僅かな突出部分も必要なくコンパクトな構成となり、僅かなスペースでも大量に準備収納することも可能になり、飲料ボトルＰの重量で使い分けることができるなどといった種々の効果を奏するものである。
【考案を実施するための最良の形態】
【００２０】
本考案によると、係止孔１１の直径を前記飲料ボトルＰの首部Ｐ１に装着したキャップＱの下端と側面とに斜めに係止する長さに設定する。前記把手孔１２を持ち上げたときに前記把手板体１０が傾斜して前記係止孔１１に前記飲料ボトルＰが吊り下がるように設ける。二つ折り自在に設けた前記把手板体１０の中央部に設け、該把手孔１２の両側に複数の係止孔１１を対象形状に形成する。前記飲料ボトルＰの重量に合わせて該係止孔１１を単体で使用し又は重ねて使用するように設けることで当初の目的を達成する。
【実施例】
【００２１】
本考案は、複数本のペットボトルや瓶など飲料ボトルＰの首部に係止して運搬するもので、把手板体１０に係止孔１１と把手孔１２を設けた構造を成している（図１参照）。
【００２２】
把手板体１０は、板紙、プラスチックなど飲料ボトルＰを支持する強度を有するあらゆる材質で形成可能であるが、特に加工性、廃棄処理適性、コストなどの観点から板紙材の使用が好適である。また、図１及び図２に示す如く、二つ折りに重ねて支持強度を高めて使用することができる。この場合、該把手板体１０を二つ折りに重ねた状態で係止孔１１と把手孔１２とを開穿する。
【００２３】
また、把手板体１０を１枚で使用することも可能である（図３参照）。１枚で使用する方法では、より多くの飲料ボトルＰを同時に吊下げることが可能になる。
【００２４】
いずれの使用方法においても、把手孔１２を持ち上げたときに把手板体１０が傾斜し、係止孔１１に飲料ボトルＰが吊り下がるように設けている（図２、図３参照）。
【００２５】
係止孔１１は、飲料ボトルＰの首部Ｐ１を挿入せしめる孔で、飲料ボトルＰを吊り下げる際に、飲料ボトルＰの首部Ｐ１に装着したキャップＱの下端と側面とに斜めに係止する直径に設定している（図１、図２参照）。飲料ボトルＰがペットボトルの場合、キャップＱの下方で顎部Ｐ２が張り出しているので、該係止孔１１の直径を、ぺットボトルの顎部Ｐ２下端とキャップＱ側面とに係止する長さに設定する。
【００２６】
また、二つ折りに重ねた前記把手板体１０に係止孔１１を設ける際に、重ねる係止孔１１の位置を僅かにずらして開穿することで、より確実な係合状態が得られる。これは、重ねた係止孔１１が夫々僅かに異なる位置でキャップＱの下端部や側面に係止すると係止位置が４点支持となり、一つの係止孔１１で支持する２点支持に比べてより確実な係合状態になることによる。図７に示す係止孔１１は、把手板体１０を折り畳む折込線１４からの距離Ｘ、Ｙを変えて係止孔１１を設けている。
【００２７】
把手板体１０に設ける係止孔１１の数は任意に設定するものである。例えば図４に示す実施例は、把手板体１０に４本の飲料ボトルＰを係止し又は把手板体１０を二つ折りにして２本の飲料ボトルＰを係止するタイプを示している。また、図５（イ）、（ロ）、（ハ）に示す如く、６本又は３本の飲料ボトルＰを係止するタイプや、図６に示す如く、二つ折りにして４本の飲料ボトルＰを係止するタイプなど任意に変更することができる。
【００２８】
図６（イ）、（ロ）に示す把手板体１０は、把手孔１２を設けた中央の折込線１４を介して把手板体１０を二つ折りにする他、左右の折込線１５から夫々折り込むことも可能になっている。更に、同図（ロ）に示す把手板体１０には、折込線１５の一部に切込み１６を設けてあり、この切込み１６に景品などを装着できるようにしている。
【００２９】
把手孔１２は、該係止孔１１に係止した飲料ボトルＰを持ち上げるために手指を挿入する孔である。この把手孔１２を、前記係止孔１１と並べて設けることで、把手孔１２を持ち上げたときに把手板体１０が傾斜し、係止孔１１に飲料ボトルＰが吊り下がる状態になる（図１乃至３参照）。
【００３０】
把手孔１２の一側縁部から把手片１３を延長している（図４参照）。この把手片１３は、飲料ボトルＰを吊下げたときに、手指に掛かる荷重を把手片１３に分散せしめるものである（図１参照）。図示の把手片１３は、把手板体１０を打ち抜いて把手孔１２を形成する際に、打ち抜いた部分を残して把手片１３としている。この把手片１３を使用する場合は、把手孔１２の周囲縁部に把手片１３を巻き付けるようにして用いることで、把手孔１２に挿入した手当たり部分の感触を和らげるものである。
【００３１】
図示例の把手孔１２は、二つ折り自在に設けた前記把手板体１０の中央部に設けてある。この場合、一方の把手孔１２に把手片１３を設けている（図４参照）。また、両方の把手孔１２に把手片１３を設けることも可能である。
【００３２】
本考案の使用方法として、把手孔１２の両側に対象形状に形成した複数の係止孔１１に夫々軽量の飲料ボトルＰを係止する場合、把手孔１２の両側で把手板体１０が傾斜して夫々飲料ボトルＰを吊下げる（図３参照）。また、重量のある飲料ボトルＰを吊り下げるには、把手板体１０を二つ折りにして係止孔１１を重ねた状態とし、この係止孔１１に飲料ボトルＰを吊り下げるものである（図１、図２参照）。
【００３３】
尚、本考案の実施例は図示例に限られるものではなく、本考案の要旨を変更しない範囲での設計変更、材質の置換、対象となる飲料ボトルの種類などは任意に変更できるものである。
【図面の簡単な説明】
【００３４】
【図１】本考案の一実施例を示す斜視図である。
【図２】本考案の一使用例を示す側面図である。
【図３】本考案の他の使用例を示す側面図である。
【図４】本考案の一実施例を示す平面図である。
【図５】本考案の他の実施例を示す平面図である。
【図６】本考案の他の実施例を示す平面図である。
【図７】本考案の係止孔を示す要部平面図である。
【符号の説明】
【００３５】
Ｐ  飲料ボトル
Ｐ１  首部
Ｐ２  顎部
Ｑ  キャップ
１０  把手板体
１１  係止孔
１２  把手孔
１３  把手片
１４  折込線
１５  折込線
１６  切込み
【図１】
0003102493.tif 000003
【図２】
0003102493.tif 000004
【図３】
0003102493.tif 000005
【図４】
0003102493.tif 000006
【図５】
0003102493.tif 000007
【図６】
0003102493.tif 000008
【図７】
0003102493.tif 000009